(57)【要約】      （修正有）【課題】目地部の寸法分だけ揺れ動いてもその揺れ動きを吸収でき、目地部へ雨水等の浸入を阻止し、防水カバーが目地部内やパラペット内へ突出落下したりすることがない、屋上用目地カバー装置を提供する。【解決手段】低い方の建物４の目地部側パラペットの上部を覆う支持片８が形成され、反目地部側に水切り片９が形成された水切りカバー１０と、後端部が高い方の建物３の外壁面に固定された目地カバー支持金具１２と、一端部が高い方の建物３の目地部側外壁面に固定され、他端部が目地カバー支持金具１２の先端部に固定される目地カバー１３と、目地カバー１３の先端底面部を防水可能に覆う防水カバー１４と、水切りカバー１０の支持片８に一端部が固定され、他端部が防水カバー１４の内側端部に固定された防水シート１５と、防水シート１５を支持するワイヤー１８を用いた防水シート支持装置１９とで屋上用目地カバー装置１を構成している。【選択図】図２
2011052502.tif 000002
【特許請求の範囲】
【請求項１】
目地部を介して設けられた高さの異なる左右の建物の低い方の建物の目地部側パラペットに、該パラペットの上部を覆うように固定された目地部側の端部が上方へ突出する支持片が形成され、反目地部側の端部が下方へ突出する水切り片が形成された水切りカバーと、この水切りカバーの支持片の上部に位置し、かつ先端部が前記パラペットの内側部位に位置する後端部が高い方の建物の目地部側の外壁面に所定間隔で固定された複数個の目地カバー支持金具と、この複数個の目地カバー支持金具に支持され、一端部が前記高い方の建物の目地部側外壁面、あるいは該部位の複数個の目地カバー支持金具に固定され、他端部が該複数個の目地カバー支持金具の先端部に固定される目地カバーと、前記複数個の目地カバー支持金具の先端部側の底面に固定された、前記目地カバーの先端底面部を防水可能に覆う防水カバーと、前記水切りカバーの支持片に一端部が固定され、他端部が前記防水カバーの内側端部に固定された、前記左右の建物の異なる左右方向の揺れ動きを吸収できる遊びを有する防水シートと、前記水切りカバーの支持片に所定間隔で一端部が取付けられ、他端部が前記高い方の建物の目地部側外壁面に収納、引き出し可能に所定間隔で取付けられ、前記防水シートを支持する複数本のワイヤーを用いた防水シート支持装置とからなることを特徴とする屋上用目地カバー装置。
【請求項２】
防水シート支持装置は一端部が水切りカバーの支持片に取付けられたワイヤーと、このワイヤーの他端部を常時巻取り方向に付勢された高い方の建物の目地部側外壁面に取付けられたワイヤー巻取り装置とを複数個並列状態で設けたものであることを特徴とする請求項１記載の屋上用目地カバー装置。
【発明の詳細な説明】
【技術分野】
【０００１】
本発明は高さが異なる建物間の屋上目地部を覆う屋上用目地カバー装置に関する。
【背景技術】
【０００２】
従来、この種の屋上用目地カバー装置は目地部内への雨水等の浸入を阻止するように、目地カバーの先端部とパラペットの上部に固定された水切りカバーの支持片との間に伸縮できる防水カバーを設けるとともに、該防水カバーを左右の建物が異なる左右方向に地震で揺れ動いた場合や、通常状態でパラペット内へ垂れ下がって見苦しくなるのを阻止する防水カバー装置が設けられている。
【０００３】
このため、目地カバーの先端部と水切りカバーの支持片との間の揺れ動きしか吸収することができないという欠点があるとともに、防水カバーを複数個所で吊り下げるため、その取付け作業が大変で、手数がかかるという欠点があった。
【先行技術文献】
【特許文献】
【０００４】
【特許文献１】特許第３８１３８７８号
【発明の概要】
【発明が解決しようとする課題】
【０００５】
本発明は以上のような従来の欠点に鑑み、ほぼ目地部の寸法分だけ揺れ動いても、その揺れ動きを吸収でき、目地部へ雨水等の浸入を阻止することができるとともに、防水カバーが目地部内やパラペット内へ突出、落下したりすることなく、美観を損なうことのない屋上用目地カバー装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は目地部を介して設けられた高さの異なる左右の建物の低い方の建物の目地部側パラペットに、該パラペットの上部を覆うように固定された目地部側の端部が上方へ突出する支持片が形成され、反目地部側の端部が下方へ突出する水切り片が形成された水切りカバーと、この水切りカバーの支持片の上部に位置し、かつ先端部が前記パラペットの内側部位に位置する後端部が高い方の建物の目地部側の外壁面に所定間隔で固定された複数個の目地カバー支持金具と、この複数個の目地カバー支持金具に支持され、一端部が前記高い方の建物の目地部側外壁面、あるいは該部位の複数個の目地カバー支持金具に固定され、他端部が該複数個の目地カバー支持金具の先端部に固定される目地カバーと、前記複数個の目地カバー支持金具の先端部側の底面に固定された、前記目地カバーの先端底面部を防水可能に覆う防水カバーと、前記水切りカバーの支持片に一端部が固定され、他端部が前記防水カバーの内側端部に固定された、前記左右の建物の異なる左右方向の揺れ動きを吸収できる遊びを有する防水シートと、前記水切りカバーの支持片に所定間隔で一端部が取付けられ、他端部が前記高い方の建物の目地部側外壁面に収納、引き出し可能に所定間隔で取付けられ、前記防水シートを支持する複数本のワイヤーを用いた防水シート支持装置とで屋上用目地カバー装置を構成している。
【発明の効果】
【０００９】
以上の説明から明らかなように、本発明にあっては次に列挙する効果が得られる。
（１）請求項１の構成により、目地カバーで覆われた目地部への風雨の侵入を防水カバーと防水シートで阻止することができる。
したがって、従来の防水シートだけで阻止するものに比べ、防水シートを短くできるとともに、パラペットの内側へ脱落したりするのを効率よく阻止することができる。
（２）請求項１の構成により、複数個の目地カバー支持金具の先端部側半分を防水カバーで覆うことにより、防水シートは複数個の目地カバー支持金具のほぼ半分の寸法の長さでよいので、比較的に短い防水シートを使用することができる。
（３）請求項１の構成により、防水シートを支持する防水シート支持装置を防水シートに加工することなく設置することができ、防水シートの強度や防水性能を損なうことなく設置することができる。
（４）請求項２も前記（１）〜（３）と同様な効果が得られるとともに、防水シートの目地部内への垂れ下がりを効率よく阻止することができる。
【図面の簡単な説明】
【００１０】
【図１】本発明を実施するための第１の形態の一部破断平面図。
【図２】図１の２−２線に沿う断面図。
【図３】図１の３−３線に沿う断面図。
【図４】図２の４−４線に沿う断面図。
【図５】本発明を実施するための第１の形態の取付け金具の説明図。
【図６】本発明を実施するための第１の形態の水切りカバーの説明図。
【図７】本発明を実施するための第１の形態の目地カバー支持金具の説明図。
【図８】本発明を実施するための第１の形態の防水シート支持装置の説明図。
【図９】本発明を実施するための第１の形態の地震で目地部が狭くなる動作説明図。
【図１０】本発明を実施するための第１の形態の地震で目地部が広くなる動作説明図。
【図１１】本発明を実施するための第２の形態の平面図。
【図１２】図１１の１２−１２線に沿う断面図。
【図１３】図１１の１３−１３線に沿う断面図。
【図１４】本発明を実施するための第３の形態の平面図。
【図１５】図１４の１５−１５線に沿う断面図。
【図１６】図１４の１６−１６線に沿う断面図。
【発明を実施するための形態】
【００１１】
以下、図面に示す本発明を実施するための形態により、本発明を詳細に説明する。
【００１２】
図１ないし図１０に示す本発明を実施するための第１の形態において、１は目地部２を介して設けられた高さの異なる左右の建物３、４の低い方の建物４の屋上と高い方の建物３の外壁３ａとの間を覆う本発明の屋上用目地カバー装置で、この屋上用目地カバー装置１は前記低い方の建物４の目地部側のパラペット５の上部に所定間隔で固定された上面が反目地部側より目地部側の方が高い傾斜面６の複数個の取付け金具７に固定状態で取付けられた目地部２側の端部が上方へ突出する支持片８が形成され、反目地部側の端部が下方へ突出する水切り片９が形成された水切りカバー１０と、この水切りカバー１０の支持片８の上部に位置し、かつ先端部が前記パラペット５の内側部位に位置する後端部が高い方の建物３の目地部側外壁面３ａに所定間隔で固定された上面が、先端部側が低くなる傾斜面１１の複数個の目地カバー支持金具１２と、この複数個の目地カバー支持金具１２に支持され、一端部が前記高い方の建物３の目地部側外壁面３ａに固定、あるいは複数個の目地カバー支持金具１２の外壁面３ａ側に固定され、他端部が該複数個の目地カバー支持金具１２の先端部に固定された目地カバー１３と、前記複数個の目地カバー支持金具１２の先端部側の底面のほぼ半分を防水可能に覆う防水カバー１４と、前記水切りカバー１０の支持片８の上部に一端部が固定され、他端部が前記防水カバー１４の内側端部１４ａに固定された前記左右の建物３、４の異なる左右方向の揺れ動きを吸収できる遊びを有する防水シート１５と、前記水切りカバー１０の支持片８の先端部寄りの部位に所定間隔で一端部が取付けられ、他端部が前記高い方の建物３の目地部側外壁面３ａに所定間隔で取付けられたワイヤー巻取り装置１６の巻取りドラム１７に巻き取られたワイヤー１８とを用いた複数個並列された防水シート支持装置１９と、前記目地カバー１３の他端部の下部位置に接着材あるいは複数本のビスなどで固定された前記水切りカバー１０の上部空間部に風雨が侵入するのを阻止する、該水切りカバー１０の上部と接触する第２の防水ゴム３９とで構成されている。
【００１３】
前記複数個の取付け金具７は図５に示すように、前記パラペット５の上面に複数本のビス２０等で固定される板状の固定片２１と、この固定片２１の一側面より上方へ突出し、かつ上面が傾斜面６となるように直角に折り曲げられた支持片２２と、この支持片２２の上端部より上方へ突出するように形成された上部取付け片２３と、前記支持片２２の下端部より下方へ突出するように形成された下部取付け片２４とで構成されている。
【００１４】
前記水切りカバー１０は図６に示すように、前記複数個の取付け金具７の支持片２２に支持されるステンレス板、ステンレス合金等で形成された水切りカバー本体２５と、この水切りカバー本体２５の一端部より上方に突出するように一体形成された、前記複数個の取付け金具７の上部取付け片２３にビス２０等によって取付けられる上面が山形状の傾斜面２６に形成された支持片８と、前記水切りカバー本体２５の他端部より下方へ突出するように一体形成された、前記複数個の取付け金具７の下部取付け片２４にビス２７等によって取付けられる下部取付け片２８とで構成されている。
【００１５】
前記目地カバー支持金具１２は図７に示すように、後端部より先端部が小さな寸法となるように、上面が傾斜面１１に形成された目地カバー支持金具本体２９と、この目地カバー支持金具本体２９の後端部に一体形成された、前記高い方の建物３の目地部側外壁面３ａに複数本のタッピングビス３０等で固定される後部取付け片３１と、前記目地カバー支持金具本体２９の先端部に一体形成された目地カバー支持金具１２の先端部をビス３２等で固定するための先端取付け片３３とで構成されている。
【００１６】
前記目地カバー１３はステンレス板、ステンレス合金等で前記複数個の目地カバー支持金具１２の上部を覆う目地カバー本体３４と、この目地カバー本体３４の後端部より上方へ突出するように一体形成された外壁面３ａに複数本のタッピングビス３０等で固定する取付け片３５と、前記目地カバー本体３４の先端部より下方へ突出するように一体形成された前記複数個の目地カバー支持金具１２の先端取付け片３３にビス２０等で固定される側板３６とで構成されている。
【００１７】
上記構成の屋上用目地カバー装置１は通常状態では図１および図２に示すように、防水シート１５は水切りカバー１０上で曲げられた状態で、かつ曲げられた先端部は目地カバー１３の側板３６の内側に位置して、防水シート１５と防水カバー１４とによって、目地カバー１３の先端部より目地部２への風雨の侵入を阻止している。
【００１８】
地震で目地部２が狭くなるように揺れ動いた場合、図９に示すように左右の建物３、４が近づくので、防水シート１５の水切りカバー１０の支持片８に取付けられた一端部は高い方の建物３の目地部側外壁面３ａ方向へ移動して、その揺れ動きを吸収する。
【００１９】
この時、防水シート支持装置１９の複数本のワイヤー１８は複数個のワイヤー巻取り装置１６によって巻き取られ、ワイヤー１８がたるんだ状態とはならない。
【００２０】
地震で目地部２が広くなるように揺れ動いた場合、図１０に示すように左右の建物３、４は離れる方向に移動するため、遊びを有する防水シート１５は広げられるように移動するため、防水シート支持装置１９に支持された状態で移動する。
【００２１】
この時、防水シート支持装置１９の複数本のワイヤー１８上に防水シート１５が乗った状態になるが、複数個のワイヤー巻取り装置１６のワイヤー１８を巻き取る方向の付勢力によって、複数本のワイヤー１８が垂れ下がったりするのを阻止することができる。
【００２２】
なお、地震の揺れ動きが停止すると、元の状態へ戻るが、防水シート１５は水切りカバー１０上あるいは防水シート支持装置１９の複数本のワイヤー１８上に支持された状態のいずれかになる。
【００２３】
[発明を実施するための異なる形態]
次に、図１１ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１１ないし図１３に示す本発明を実施するための第２の形態において、前記本発明を実施するための第１の形態と主に異なる点は、複数本のワイヤー１８を高い方の建物３の目地部側の外壁面３ａに固定されたリング部材３７をそれぞれ介して、下端部に重り３８を設けた防水シート支持装置１９Ａを用いた点で、このような防水シート支持装置１９Ａを用いて構成した屋上用目地カバー装置１Ａにしても前記本発明を実施するための第１の形態と同様な作用効果が得られる。
【００２５】
図１４ないし図１６に示す本発明を実施するための第３の形態において、前記本発明を実施するための第１の形態と主に異なる点は、防水シート１５Ａの他端部で複数個の目地カバー支持金具１２の先端部側の底面のほぼ半分を覆って、防水カバーとして使用した点で、このような防水カバーとしての機能を有する防水シート１５Ａを用いて構成した屋上用目地カバー装置１Ｂにしても、前記本発明を実施するための第１の形態と同様な作用効果が得られる。
【産業上の利用可能性】
【００２６】
本発明は目地部を介して設けられた左右の建物の屋上用目地カバー装置を製造する産業で利用される。
【符号の説明】
【００２７】
１、１Ａ、１Ｂ：屋上用目地カバー装置、
２：目地部、        ３：左の建物、
３ａ：外壁、          ４：右の建物、  
５：パラペット、      ６：傾斜面、
７：取付け金具、      ８：支持片、
９：水切り片、      １０：水切りカバー、
１１：傾斜面、      １２：目地カバー支持金具、
１３：目地カバー、      １４：防水カバー、
１５、１５Ａ：防水シート、  １６：ワイヤー巻取り装置、
１７：巻取りドラム、    １８：ワイヤー、
１９、１９Ａ：防止シート支持装置、
２０：ビス、        ２１：固定片、
２２：支持片、      ２３：上部取付け片、
２４：下部取付け片、    ２５：水切りカバー本体、
２６：傾斜面、      ２７：ビス、
２８：下部取付け片、    ２９：目地カバー支持金具本体、
３０：タッピングビス、    ３１：後部取付け片、
３２：ビス、        ３３：先端取付け片、
３４：目地カバー本体、    ３５：取付け片、
３６：側板、        ３７：リング部材、
３８：重り。
【図１】
2011052502.tif 000003
【図２】
2011052502.tif 000004
【図３】
2011052502.tif 000005
【図４】
2011052502.tif 000006
【図５】
2011052502.tif 000007
【図６】
2011052502.tif 000008
【図７】
2011052502.tif 000009
【図８】
2011052502.tif 000010
【図９】
2011052502.tif 000011
【図１０】
2011052502.tif 000012
【図１１】
2011052502.tif 000013
【図１２】
2011052502.tif 000014
【図１３】
2011052502.tif 000015
【図１４】
2011052502.tif 000016
【図１５】
2011052502.tif 000017
【図１６】
2011052502.tif 000018